(57)【要約】【課題】メカニカルな動作を行う演出装置の動きが大きく、かつ、素早く、遊技者の大当たりへの期待感を十分に高揚させることが可能な遊技機を提供する。【解決手段】パチンコ機は、遊技領域に大型遊技部材が設置されており、その大型遊技部材の左側に、装飾を施した遮蔽板が、遊技盤の表面と所定の距離を隔てて平行に対峙するように設けられている。そして、その遮蔽板の後方には、平板状の可動部材３２と、可動部材３２の下端をスライド可能に支持する車輪収納ケース５１と、基端を遊技盤４に枢着させるとともに先端を可動部材３２に係合させたアーム部材３４と、そのアーム部材３４を回動させるためのモータ３８とからなるメカニカル演出装置３１が設置されている。【選択図】図８
2015044104.tif 000002
【特許請求の範囲】
【請求項１】
多数の障害釘および各種の入賞装置を設置してなる遊技盤が前面に設けられているとともに、その遊技盤面上に、所定のタイミングでメカニカルに作動することによって遊技を演出するメカニカル演出装置が設けられた遊技機であって、
前記メカニカル演出装置が、
所定の退入位置から前記遊技盤面内に設けられた液晶画面の前方まで移動する可動部材と、
前記可動部材の端部をスライド可能に支持するガイドと、
基端を前記遊技盤面と平行な面内で回動可能に枢着させるとともに先端を前記可動部材に係合させたアームと、
そのアームを回動させるための駆動装置とからなるものであり、かつ、
前記アームの表面と、前記アームを回動可能に支持する側の表面で前記アームの表面に対向する表面との何れか一方に、他方側へ突出して前記他方の表面に当接する突出部を設け、前記突出部を前記他方の表面に当接させた状態を保って前記可動部材をスライドさせることを特徴とする遊技機。
【発明の詳細な説明】
【技術分野】
【０００１】
本発明は、パチンコ機等の遊技機に関するものである。
【背景技術】
【０００２】
遊技機の一例であるパチンコ機として、図柄始動口に遊技球が入賞した場合に、図柄表示装置において、図柄の変動表示を実行するとともに、制御装置内で大当たり抽選を実施し、その大当たり抽選の結果、大当たりとなった場合に、図柄表示装置に所定の大当たり図柄（たとえば、「７，７，７」）を表示し、大当たり状態を生起させ、大入賞口の開閉扉を所定回数だけ断続的に開成させて、遊技者に多くの賞品球を払い出すもの（所謂、図柄合わせタイプのパチンコ機）が知られている。
【０００３】
また、そのような図柄合わせタイプのパチンコ機の中には、図柄表示装置の周囲等に、左右方向あるいは前後方向に機械的な（メカニカルな）動作を実行可能な演出装置が設けられており、図柄表示装置において所定の態様（たとえば、所謂リーチ変動態様）で図柄の変動表示を実行する際に、所定のタイミングにおいて当該演出装置を作動させて、遊技者の大当たりへの期待感を高揚させるように構成されたものもある。
【先行技術文献】
【特許文献】
【０００４】
【特許文献１】特開２００３−１９０４０１号公報
【発明の概要】
【発明が解決しようとする課題】
【０００５】
しかしながら、従来の図柄合わせタイプのパチンコ機においては、演出装置（メカニカルな動作を行う演出装置）の動きが小さく、かつ、緩慢なものであるため、遊技者の大当たりへの期待感を十分に高揚させることができない、という不具合があった。また、従来の図柄合わせタイプのパチンコ機は、演出装置の動きを固定する機構を有していないため、メーカーでの製造後にホールに納品するまでの間に、演出装置を十分に固定することができず、損傷させてしまうこともあった。また、そのような事態を防止すべく、出荷する際に、演出装置を固定するための固定手段（スポンジ等）をパチンコ機に装着することも行われているが、そのような作業は非常に煩わしい。
【０００６】
本発明の目的は、上記従来のパチンコ機が有する問題点を解消し、メカニカルな動作を行う演出装置の動きが大きく、かつ、素早く、遊技者の大当たりへの期待感を十分に高揚させることができる上、メーカーでの製造後にホールに納品するまでの間に、演出装置の固定手段を装着しなくても演出装置を損傷させてしまうことのない実用的な遊技機を提供することにある。
【課題を解決するための手段】
【０００７】
本発明の内、請求項１に記載された発明は、多数の障害釘および各種の入賞装置を設置してなる遊技盤が前面に設けられているとともに、その遊技盤面上に、所定のタイミングでメカニカルに作動することによって遊技を演出するメカニカル演出装置が設けられた遊技機であって、前記メカニカル演出装置が、所定の退入位置から前記遊技盤面内に設けられた液晶画面の前方まで移動する可動部材と、前記可動部材の端部をスライド可能に支持するガイドと、基端を前記遊技盤面と平行な面内で回動可能に枢着させるとともに先端を前記可動部材に係合させたアームと、そのアームを回動させるための駆動装置とからなるものであり、かつ、前記アームの表面と、前記アームを回動可能に支持する側の表面で前記アームの表面に対向する表面との何れか一方に、他方側へ突出して前記他方の表面に当接する突出部を設け、前記突出部を前記他方の表面に当接させた状態を保って前記可動部材をスライドさせることを特徴とするものである。
【０００８】
なお、上記構成を採用したものにおいて、前記メカニカル演出装置に、アームを固定させるための固定手段を設けるといった第１の構成を採用してもよい。そして、そのような第１の構成を採用することにより、メーカーにて製造され集荷された後にホールに設置されるまでの間、固定手段によってアームを固定することによって、可動部材が左右にスライドしないように（がたつかないように）保持して損傷を防止することができるといった効果を奏することができる。
【０００９】
また、上記構成、または上記第１の構成を採用したものにおいて、前記可動部材の下端に車輪を枢着し、その車輪を前記ガイドの内部で転動させることによって、可動部材を左右にスライドさせるといった第２の構成を採用してもよい。そして、そのような第２の構成を採用することにより、可動部材が、非常にスムーズに左右にスライドするため、可動部材の動きが非常に素早い上、長期間に亘って使用された場合でもきわめて損傷しにくいといった効果を奏することができる。
【発明の効果】
【００１０】
請求項１に記載の遊技機は、可動部材と、可動部材の端部をスライド可能に支持するガイドと、基端を遊技盤面と平行な面内で回動可能に枢着させるとともに先端を可動部材に係合させたアームと、そのアームを回動させるための駆動装置とによって、メカニカル演出装置が構成されているため、所定のタイミングにおいて、駆動装置を駆動させてアームを回動させることによって、可動部材を大きく、かつ、素早く、左右にスライドさせることができる。したがって、非常に高い演出効果を発現させることができるので、遊技の趣向性が高く、遊技者の遊技に対する意欲を長期間に亘って高く保持することができる。
また、アームの表面と、アームを回動可能に支持する側の表面でアームの表面に対向する表面との何れか一方に、他方側へ突出して他方の表面に当接する突出部を設け、突出部を他方の表面に当接させた状態を保って可動部材をスライドさせるため、スライドする可動部材ががたついたりしない。
【図面の簡単な説明】
【００１１】
【図１】パチンコ機の正面図である。
【図２】遊技盤の正面図である。
【図３】メカニカル演出装置の正面図（可動部材を右端に位置させた状態）である。
【図４】メカニカル演出装置の背面図（可動部材を右端に位置させた状態）である。
【図５】図３におけるＡ−Ａ線断面図である。
【図６】メカニカル演出装置の正面図（可動部材を左端に位置させた状態）である。
【図７】メカニカル演出装置の背面図（可動部材を左端に位置させた状態）である。
【図８】メカニカル演出装置の部分分解斜視図である。
【図９】アーム部材の作動孔を示す説明図である。
【図１０】メカニカル演出装置の作動状態を示す説明図（正面図）である。
【発明を実施するための形態】
【００１２】
＜遊技機の構成＞
以下、本発明に係る遊技機の一種としてのパチンコ機について、図面にしたがって詳細に説明する。図１は、本発明に係るパチンコ機を示したものであり、パチンコ機１は、周囲を覆う機枠２の片側縁に、前面枠３が、左端縁を中心として片開き自在に蝶着されている。当該前面枠３の下側には、遊技球を発射装置（図示せず）へ供給するための供給皿５と、遊技球を貯留させるための貯留皿６とが上下に併設されており、その貯留皿６の右側には、発射装置を操作するための発射ハンドル７が突設されている。
【００１３】
また、前面枠３の中央よりやや上側には、遊技盤（図示せず）が設置されており、その遊技盤の前面には、透明なガラス板を嵌め込んだガラス扉が、左端縁を中心として片開き自在に蝶着されている。図２は、遊技盤を示したものであり、遊技盤４の表面には、金属製で帯状のガイドレール８が円弧状に立設されており、当該ガイドレール８によって、略円形の遊技領域１０が区画された状態になっている。
【００１４】
遊技領域１０には、大型遊技部材１１が設置されており、その大型遊技部材１１の左右には、装飾を施した遮蔽板１２，１３が、遊技盤４の表面と所定の距離を隔てて平行に対峙するように設けられている。さらに、大型遊技部材１１の略中央には、液晶画面を有する図柄表示装置１９が設置されており、その図柄表示装置１９の下側には、遊技球を転動させるためのステージ２２が形成されている。
【００１５】
さらに、大型遊技部材１１の左側には、遊技球を通過可能なゲート９が設けられており、大型遊技部材１１の中央の下側（ステージの下側）には、電動役物ユニット１４が設けられている。当該電動役物ユニット１４には、始動入賞口１５と普通電動役物１６とが設けられており、普通電動役物１６は、上部の扉部材１７，１７が開閉するようになっている。また、電動役物ユニット１４の右側には、大入賞口１８が設置されている。大入賞口１８は、内蔵された作動装置（図示せず）によって、横長な長方形の板状の扉部材を片開き（下端縁を軸として片開き）させることができるようになっている。
【００１６】
また、図２の如く、遊技領域１０には、大型遊技部材１１や大入賞口１８の他に、入賞装置２１，２１・・、電飾ランプ、風車等が設置されているとともに、多数の障害釘（図示せず）等が植設されている。
【００１７】
＜メカニカル演出装置の構成＞
大型遊技部材１１の右側の遮蔽板１３の後方には、メカニカル演出装置３１が設置されている。図３〜図８は、メカニカル演出装置３１を示したものであり、メカニカル演出装置３１は、可動部材３２、支持部材３３、アーム部材３４、車輪体３５、固定部材３６、リンク部材３７、駆動装置であるモータ（ステッピングモータ）３８、金属シャフト２９、係止部材２８、センサ３０等によって構成されている。
【００１８】
可動部材３２は、ベース体３９、基板４０、装飾板４１等を組み付けることによって形成されている。ベース体３９は、合成樹脂によって形成されており、平板状の支持部４２の下に、３本の支柱４３，４３および支柱４７を介して、車輪ユニット４４が連設されている。また、支持部４２の中央には、アーム部材３４と連結させるための縦長な係合孔４５が穿設されている（図７参照）。さらに、当該支持部４２の表面には、多数のＬＥＤを搭載してなる基板４０が当着されている（図５参照）。加えて、支持部４２の前面には、表面に「最強」の装飾文字を透明に設けた合成樹脂製の装飾板４１が螺着されており、当該装飾板４１によって、基板４０が覆われた状態になっている。一方、車輪ユニット４４には、シャフトの前後に円板を垂設してなる２つの車輪４６，４６が、回転可能に左右に併設されている。
【００１９】
また、支持部材３３は、扁平で縦長な直方体状の設置板５０の下側に、ガイドとして機能する車輪収納ケース５１を連設した構造を有している。設置板５０の表面には、凹凸状の装飾が施されており、右上部に、アーム部材３４を枢着するための円筒状の軸支ボス５６が、前方に突出するように設けられている。また、中央よりやや上方には、一定幅の円弧状のサポート体５２が、前方に突出するように設けられている。さらに、そのサポート体５２の最下部の下方には、センサ設置部５５が設けられており、当該センサ設置部５５には、２つのネジ孔が穿設されている。加えて、車輪収納ケース５１は、設置板５０の下側に一体的に形成された後側ケース２４と、別個に形成された前側ケース２５とからなり、両者を組み付ける（螺着する）ことによって、上面に所定幅のスリットを有する幅広で中空な直方体状の箱体が形成されるようになっている。
【００２０】
一方、アーム部材３４は、合成樹脂によって長尺な棒状に形成されている。そして、基端の表面に、支軸となる円筒状の筒状部６０が、前方に突出するように設けられており、筒状部６０の中心の挿通孔６７が、アーム部材３４の前後を貫通した状態になっている。さらに、アーム部材３４の基端近くには、リンク部材３７と連結させるための作動孔６１が穿設されている。図９は、作動孔６１の穿設部分を拡大して示したものであり、作動孔６１の上側は、直線状の可動エリア６２になっており、当該可動エリア６２の下側に、外向きに凸な円弧状の係合エリア６３が設けられている。また、アーム部材３４の中央位置には、車輪体３５を軸支するための半円柱状の一対の軸受６４，６４が、上下に刻設されている。さらに、それらの軸受６４，６４の下側には、扁平な検知翼６５が、外向きに突出するように設けられている。加えて、アーム部材３４の先端には、可動部材３２と連結させるための連結軸６６が、前方に突出するように設けられている。
【００２１】
さらに、固定部材３６は、合成樹脂によって略扇状（正面視）に一体形成されている。そして、右上方には、アーム部材３４の基端を支持するための筒状部７０が、前方に突出するように形成されている。また、中央には、鉛直断面Ｕ字状の一対のリブ７１，７１が立設されており、それらのリブ７１，７１の中央には、円形の軸孔７２が穿設されている。加えて、固定部材３６の下端際には、一定幅の円弧状の支持台７３が、後方に突出するように設けられている。
【００２２】
また、リンク部材３７は、合成樹脂によって扁平な楕円状に形成されている。そして、表面には、モータ３８の軸に連結させるための円筒状の軸支ボス８０が立設されており、裏面には、アーム部材３４に係合させるための円柱状の係合ボス８１が立設されている。加えて、モータ３８は、扁平な円柱状に形成されており、左右に、一対の固着翼９０，９０が、外向きに突出するように設けられている。
【００２３】
さらに、センサ３０は、信号の送受信を行うための検知板７６，７６を前後に配置したＵ字状に形成されており、後方の検知板７６の左右に、一対の固着翼７７，７７が外向きに突出するように設けられている。一方、係止部材２８は、合成樹脂によって一体的に形成されており、円筒状の係止部８４の前端にフランジ８６が設けられている。
【００２４】
メカニカル演出装置３１においては、モータ３８が、左右の固着翼９０，９０をリブ７１，７１の中に嵌め込んだ状態で、固定部材３６に螺着されており、当該モータ３８の軸が、固着部材３６の軸孔７２を貫通した状態になっている。そして、リンク部材３７が、軸支ボス８０内にモータ３８の軸を嵌入させることによって、当該軸に固着された状態になっている。
【００２５】
また、支持部材３３の設置板５０のセンサ設置部５５には、センサ３０が螺着されている。さらに、設置板５０の右上部には、固定部材３６が固着されており、当該固定部材３６によって、アーム部材３４が回転可能に枢着された状態になっている。すなわち、アーム部材３４の筒状部６０の挿通孔６７には、金属シャフト２９が挿通されており、当該金属シャフト２９の後端が、支持部材３３の設置板５０の軸支ボス５６に挿入された状態になっているとともに、当該金属シャフト２９の前端が、設置板５０に固着された固定部材３６の筒状部７０内に挿入された状態になっている。
【００２６】
そして、そのように回転可能に枢着されたアーム部材３４の中央部においては、軸受６４，６４に回転可能に嵌め込まれた車輪体３５の上下の円板が、固定部材３６の支持台７３の裏面に押し付けられた状態になっている。また、アーム部材３４の軸受６４，６４の裏面に、支持部材３３の設置板５０のサポート体５２が押し当てられた状態になっている。さらに、固定部材３６と一体になったモータ３８の軸に固着されたリンク部材３７の係合ボス８１が、アーム部材３４の作動孔６１内に遊嵌された状態になっている。
【００２７】
一方、上記の如く支持部材３３に回転可能に枢着されたアーム部材３４の先端は、可動部材３２に遊動自在に係合された状態になっている。すなわち、アーム部材３４の先端の連結軸６６が、可動部材３２のベース体３９の中央に設けられた係合孔４５に挿入されており、当該連結軸６６の先端に、係止部材２８が、ベース体３９の前方側から円筒状の係止部８４を外嵌させることによって固着されている（図７参照）。
【００２８】
加えて、上記の如くアーム部材３４の先端と連結された可動部材３２は、支持部材３３の下側の車輪収納ケース５１の上面のスリットに支柱４３，４３および支柱４７を挿通させた状態で、車輪収納ケース５１の内部に車輪ユニット４４を収納させることによって、左右にスライド可能に、支持部材３３に設置されている。
【００２９】
＜遊技機の作動内容＞
上記の如く構成されたパチンコ機１においては、発射ハンドル７の回動操作によって発射装置（図示せず）から遊技球が発射され、発射された遊技球が始動入賞口１５に入賞した場合に、内部に設置された制御装置において大当たり抽選（乱数の選択）が実行され、大当たり抽選の結果、「大当たり」になった場合には、「大当たり状態」が生起する。また、遊技球が始動入賞口１５に入賞する毎に、上記大当たり抽選と同時に、図柄の変動態様の抽選が実行され、制御装置の記憶手段に記憶された複数の変動態様の中から一つの変動態様が選択され、当該変動態様に基づいて、図柄表示装置１９において所定の時間だけ図柄の変動表示を実行する。そして、当該変動表示の後に「大当たり図柄」あるいは「はずれ図柄」を表示することによって大当たり抽選の結果を表示する。
【００３０】
「大当たり状態」においては、大入賞口１８の扉部材が所定回数だけ断続的に開成する。したがって、遊技者は、「大当たり」が発生した場合には、多くの遊技球を大入賞口１８に入賞させることによって、多くの賞品球を獲得することができる。
【００３１】
＜メカニカル演出装置の作動内容＞
パチンコ機１においては、上記の如く、遊技球が始動入賞口１５に入賞する毎に、図柄の変動態様の抽選を実行するが、所定の変動態様（たとえば、所謂リーチ変動態様）が選択された場合には、所定のタイミングで、メカニカル演出装置３１が演出動作を実行する。メカニカル演出装置３１を作動させる場合には、駆動装置であるモータ３８に電源が供給される。モータ３８に電源が供給されると、モータ３８の軸が所定の位置から回転し（反時計回り）、リンク部材３７が同じ方向に回転する。そのようにリンク部材３７が回転すると、アーム部材３４の作動孔６１内に遊嵌されている係合ボス８１が、作動孔６１の可動エリア６２内を移動しながら、アーム部材３４を、基端（筒状部６０）を中心として時計回りに回動させる。そのようにアーム部材３４が回動すると、支持部４２の係合孔４５内にアーム部材３４の先端を係着させた可動部材３２が、車輪ユニット４４の車輪４６，４６・・を車輪収納ケース５１内で転動させながら、内側（左側）にスライドする。
【００３２】
それゆえ、可動部材３２は、通常時には、大型遊技部材１１の遮蔽板１３の裏側に隠れた状態になっているが、前記所定のタイミングで、図１０の如く、遮蔽板１３の内側に突然に突出することになる。また、上記の如く、可動部材３２が左側へスライドする場合には、可動部材３２の基板４０に電源が供給されて、基板４０上に搭載されたＬＥＤが発光し、装飾板４１から「最強」の文字が浮かび上がる。なお、アーム部材３４が回動する際には、アーム部材３４の裏面を支持部材３３のサポート体５２によって支持し、アーム部材３４に係着された車輪体３５を固定部材３６の支持台７３に当接させた状態が保持されるので、スライドする可動部材３２ががたついたりしない。
【００３３】
また、所定の時間、可動部材３２を左側へ突出させた後には、可動部材３２を遮蔽板１３内へ退入させる。可動部材３２を退入させる場合には、モータ３８に電源が供給されてモータ３８の軸が逆方向に回転し（時計回り）、リンク部材３７が同じ方向に回転する。そのようにリンク部材３７が回転すると、リンク部材３７の係合ボス８１が、アーム部材３４の作動孔６１の可動エリア６２内を移動しながら、アーム部材３４を、基端を中心として逆方向に回動させる（反時計回り）。そのようにアーム部材３４が回動すると、アーム部材３４の先端を係着させた可動部材３２が、外側（右側）にスライドする。また、アーム部材３４が所定の角度（係合ボス８１がアーム部材３４の作動孔６１の可動エリア６２の下端まで至る角度）だけ時計回りに回動すると、アーム部材３４の検知翼６５が、センサ３０の検知板７６，７６間に入り込み、モータ３８への電源供給が遮断され、アーム部材３４が停止する。
【００３４】
さらに、メカニカル演出装置３１においては、メーカーにて製造後にホールに納入するまでの間等には、可動部材３２がスライドしないように、ロックすることも可能である。可動部材３２をロックする場合には、上記の如く、可動部材３２を右側の退入位置にスライドさせた状態において、さらに、モータ３８に電源を供給することによりモータ３８の軸を逆方向に回転させ（時計回り）、リンク部材３７を同じ方向に回転させる。そのようにリンク部材３７を回転させると、リンク部材３７の係合ボス８１が、アーム部材３４の作動孔６１の下側の係合エリア６３内に入り込む（図３、図９参照）。そのように係合ボス８１が作動孔６１の係合エリア６３内に入り込むと、再度、モータ３８に電源を供給してモータ３８の軸を正方向（反時計回り）に回転させない限り、可動部材３２をスライドさせることができなくなる（手によって可動部材３２を左側へ無理矢理スライドさせることもできなくなる）。
【００３５】
＜遊技機の効果＞
パチンコ機１は、上記の如く、メカニカル演出装置３１が、平板状の可動部材３２と、可動部材３２の下端をスライド可能に支持する水平なガイドである車輪収納ケース５１と、基端を遊技盤４の盤面と平行な面内で回動可能に枢着させるとともに先端を可動部材３２に係合させたアームであるアーム部材３４と、そのアーム部材３４を（基端を中心として）回動させるための駆動装置であるモータ３８とからなるものであるため、所定のタイミングにおいて、モータ３８を駆動させてアーム部材３４を回動させることによって、可動部材３２を大きく、かつ、素早く、左右にスライドさせることができる。したがって、非常に高い演出効果を発現させることができるので、遊技の趣向性が高く、遊技者の遊技に対する意欲を長期間に亘って高く保持することができる。
【００３６】
また、パチンコ機１は、メカニカル演出装置３１に、アーム部材３４を固定させるための固定手段（リンク部材３７の係合ボス８１および作動孔６１の係合エリア６３によって構成されるもの）が設けられているため、メーカーにて製造され集荷された後にホールに設置されるまでの間、固定手段によってアーム部材３４を固定することによって、可動部材３２が左右にスライドしないように（がたつかないように）保持して損傷を防止することができる。
【００３７】
さらに、パチンコ機１は、可動部材３２の下端に車輪４６，４６・・が枢着されており、それらの車輪４６，４６・・をガイド（車輪収納ケース５１）の内部で転動させることによって、可動部材３２が左右にスライドするものであるため、可動部材３２の動きが非常にスムーズで素早い上、長期間に亘って使用された場合でもきわめて損傷しにくい。
【００３８】
なお、本発明のパチンコ機の構成は、上記実施形態の態様に何ら限定されるものではなく、機枠、前面枠、遊技盤、供給皿、貯留皿、発射ハンドル、図柄表示装置、入賞装置、電動役物ユニット、大型遊技部材、メカニカル演出装置等の形状、構造、材質等の構成を、本発明の趣旨を逸脱しない範囲で適宜変更することができる。
【００３９】
たとえば、メカニカル演出装置は、上記実施形態の如く、可動部材が下端に設けられた車輪を車輪収納ケースに収納させた状態で左右にスライドするものに限定されず、可動部材が下端に前後方向に突出するように設けた係合体を、水平に設けたガイド溝に係合させた状態で左右にスライドするもの等に変更することも可能である。なお、メカニカル演出装置を、上記実施形態の如く、可動部材が下端に設けられた車輪を車輪収納ケースに収納させた状態で左右にスライドするものとした場合には、可動部材の左右のスライド動作が一層スムーズなものとなる、というメリットがある。
【００４０】
また、メカニカル演出装置は、上記実施形態の如く、可動部材の下端に設けられた車輪を車輪収納ケースによって覆ったものに限定されず、可動部材の下端に設けられた車輪を露出させたものとすることも可能である。なお、メカニカル演出装置を、上記実施形態の如く、可動部材の下端に設けられた車輪を車輪収納ケースで覆ったものとした場合には、左右のスライド動作時の騒音を低減することが可能となる、というメリットがある。加えて、可動部材の左右方向へのスライド量を一定の範囲内に確実に制限することができる、というメリットもある。
【００４１】
加えて、メカニカル演出装置は、上記実施形態の如く、可動部材が左右方向にスライドするものに限定されず、可動部材が上下方向にスライドするもの等に変更することも可能である。
【符号の説明】
【００４２】
１・・パチンコ機
４・・遊技盤
３１・・メカニカル演出装置
３２・・可動部材
３４・・アーム部材
３８・・モータ
４４・・車輪ユニット
４６・・車輪
５１・・車輪収納ケース
６１・・作動孔
６３・・係合エリア
【図１】
2015044104.tif 000003
【図２】
2015044104.tif 000004
【図３】
2015044104.tif 000005
【図４】
2015044104.tif 000006
【図５】
2015044104.tif 000007
【図６】
2015044104.tif 000008
【図７】
2015044104.tif 000009
【図８】
2015044104.tif 000010
【図９】
2015044104.tif 000011
【図１０】
2015044104.tif 000012